【事件の表示】
　特願２０００−２２２９９３「スロットマシン」拒絶査定不服審判事件〔平成１４年　２月　５日出願公開、特開２００２−　３５２０８〕について、次のとおり審決する。
【結　論】
　本件審判の請求は、成り立たない。
【理　由】
１．手続きの経緯
　本願は、平成１２年７月２４日の出願であって、平成１５年１１月２８日付の拒絶理由通知が通知され、平成１６年１月２９日付で意見および手続補正がなされ、平成１６年４月２０日付の拒絶査定がなされ、平成１６年５月２７日に審判請求がなされ、平成１６年６月２５日付で手続補正がなされたものである。
　　　　　　　　　　　　　　　　　　　　　　　　　　　
２．平成１６年６月２５日付の手続補正についての補正却下の決定　　　　　　　　　　　　　　　　　　　　　　　　　　　　　　　　
［補正却下の決定の結論］
　　平成１６年６月２５日付の手続補正を却下する。
　　　　　　　　　　　　　　　　　　　　　　　　　　　
［理由］
（１）補正後の本願発明
　平成１６年６月２５日付の手続補正により補正された特許請求の範囲の請求項１に係る発明は、その請求項１において特定される下記のとおりのものである。
　　　　　　　　　　　　　　　　　　　　　　　　　　　
　「外枠とこの外枠に片開き可能に取付けられた前枠とを備えて構成される遊技機枠体
と、
　
この遊技機枠体
て構成される化粧体と、
　
この化粧体の前記
れ前
た窓と、
　この窓の後側開口
を覆い
構成する透光性の
と
　
このパネルの前記図柄視認領域周囲に形成された延設部と、
　
この延設部と前記化粧体の
前記化粧体の前壁に向けて前記化粧体の裏側に引抜くことにより前記延設部から取外せるように前記延設部の裏側より取付けられた光源で
と、
　
前記パネルの裏側に前記パネルと非接触に配置され前記図柄視認領域の前側より図柄視認領域を経由して図柄を見せる図柄表示体と
　
を備えた
　　　　　　　　　　　　　　　　　　　　　　　　　　　　
　平成１６年６月２５日付の手続補正は、平成１６年１月２９日付の手続補正により補正された請求項１に記載された発明を特定するための事項の限定に相当するものであるから、平成１８年改正前特許法第１７条の２第４項第２号の規定に適合している。
　そこで、本願補正発明が、特許出願の際独立して特許を受けることができるものであるか（平成１８年改正前特許法第１７条の２第５項において準用する同法第１２６条第５項に適合するか）について以下に検討する。
　　　　　　　　　　　　　　　　　　　　　　　　　　　　
（２）引用例について
　原査定の拒絶の理由に引用された特開平７−２５５９１７号公報（以下、「引用例」という。）には、以下の技術事項が図面とともに記載されている。
　　　　　　　　　　　　　　　　　　　　　　　　　　　　
・記載事項１
　「【０００９】【実施例】次に、本発明に係る図柄組合わせ遊技機用の回転式図柄可変表示装置につき、好適な実施例を挙げて添付図面を参照しながら、以下詳細に説明する。なお本実施例では、図９に略示されたパチンコ機の遊技盤Ｐに設置される「ドラム型式」の図柄可変表示装置Ｉを対象例とした場合を主に示す。そして同表示装置Ｉに実施される回転図柄表示体としての図柄ドラムＤについては、図１および図２に略示する熱転写装置Ｍの運転稼働制御により、図柄ドラムの素地である１個ずつのリング体Ｒの外周に対して、図柄フィルムＦにおける１単位ずつの図柄を１回転１作業の熱転写方式で自動的に絵付けしてなるものを主に示す。」
　　　　　　　　　　　　　　　　　　　　　　　　　　　　
・記載事項２
　「【００３６】すなわち図９に例示するように、遊技盤Ｐに実施される図柄可変表示装置Ｉは、各始動入賞具５４に対する遊技球の入賞毎において、当該スイッチ５５の検出条件により、図１４に略示する電気制御装置Ｅから発生される制御出力に基いて、図柄ドラムＤを設定時間に亘り回転して停止する形式のものである。その全体の概要としては、図１０〜図１２に示すように、遊技盤Ｐの前側に取着される透視体３１と、遊技盤Ｐの裏側に整合して組付けられる収容箱体４１と、この収容箱体４１内に縦列状態で収容セットされる３列の図柄表示ユニット４５,４５,４５等から構成されている。」
　　　　　　　　　　　　　　　　　　　　　　　　　　　　
・記載事項３
　「【００３７】前記透視体３１では、図１０に示す如く、その中央部に開口された方形の窓口３２内の前側および後側に、透明な透視表示板３３およびレンズ体３６が重ね合わせ状態で組付けられている。そして透視表示板３３の前面において、左右両側に上下３コマ分と中央部に１コマ分の有効図柄用の表示窓面３４ａ,３４ｂが形成されている。また各表示窓面３４ａ,３４ｂに合わせて有効図柄の組合わせ成立ライン、すなわち大当たり成立ラインとして、横中央１本の水平ライン３５ａと、互いに交差する２本の斜状ライン３５ｂ,３５ｂが設定されて、中央の１コマ有効図柄を基準にして全体では３通りの成立が表示されるようになっている。なお透視体３１の上部には、始動入賞具５４で入賞検出されたセーフ球の有効保留数を表示する保留ランプ３７と、図柄可変表示作動中の表示ランプ３８と、大当たり成立時の表示ランプ３９とが配設されている。また透視表示板３３およびレンズ体３６は、図１１に示す如く、共に側面から見て前向きの凸円弧形に成形されて、互いに前後離隔状態で整合されている。」
　　　　　　　　　　　　　　　　　　　　　　　　　　　　　　　　
・記載事項４
　「【００３８】一方前記収容箱体４１は、図１１に示す如く、前面開口した方形状に成形されて、遊技盤Ｐ裏面に位置決め固定される保持枠体４４の裏側に整合して組付けられている。そしてこの箱体４１内に各図柄表示ユニット４５を収容セットするための収容室４２が画成され、また箱体４１の後板部に各ユニット４５に対応してコネクター用の逃し口４３が開口されている(図１２参照)。なお保持枠体４４は、前後面を開口した方形枠状に成形されており、前述の透視体３１の裏側に位置決めされたもとで、遊技盤Ｐ裏面に直付け固定されて、その前開口部がレンズ体３６に整合されるようになっている。」
　　　　　　　　　　　　　　　　　　　　　　　　　　　　　　
・記載事項５
　「【００３９】また前記３基の図柄表示ユニット４５は、図１２に示す如く、何れも方形状の駆動基盤４６と、この基盤４６中央部に装着されたステッピングモータ４７で回転制御される前述の図柄ドラムＤとから構成されている。そして収容箱体４１の収容室４２内において、当該駆動基盤４６を位置決め保持したもとで、各図柄表示ユニット４５が互いに等間隔で整列保持されている。このセット状態において、各ユニット４５は、図柄ドラムＤの外周前部が保持枠体４４の前開口部から露出されてレンズ体３６裏面に臨んでおり、また駆動基盤４６の後端に装着された接続具４９が当該の逃し口４３から後側に露出されて、前記電気制御装置Ｅに対して接続線５３を介し接続できるようになっている。」
　　　　　　　　　　　　　　　　　　　　　　　　　　　　　　
　以上の記載事項１〜記載事項５及び図１〜図１４の記載によれば、引用例には次の発明が記載されていると認められる。
　　　　　　　　　　　　　　　　　　　　　　　　　　　　
　「遊技盤Ｐと遊技盤Ｐの前面を覆う部分と遊技盤Ｐの前面を覆う部分より後側に突出する部分を備えて構成される透視体３１と、
　透視体３１の後側に突出する部分で周囲を囲まれて構成され、透視体３１に前後方向に開放する形態で形成された方形の窓口３２と、
　表示窓面３４ａ、３４ｂを形成する透明表示板３３と、
　表示ランプ３８、３９で図柄可変表示作動中や大当たり成立時に関する情報を遊技者に報知し、透明表示板３３の裏側において透明表示板３３と非接触の状態で配置され方形の窓口３２に形成された表示窓面３４ａ、３４ｂの前側より方形の窓口３２で形成された表示窓面３４ａ、３４ｂを経由して図柄を見せる図柄ドラムＤと
　を備えた図柄組合せ遊技機。」（以下、「引用例に記載された発明」という。）
　　　　　　　　　　　　　　　　　　　　　　　　　　　
（３）対比
　引用例に記載された発明と本願補正発明を対比すると、引用例に記載された発明の「透視体３１」は本願補正発明の「化粧体」に、以下同様に、「方形の窓口３２」は「窓」に、「表示窓面３４ａ、３４ｂ」は「図柄視認領域」に、「形成する」は「構成する」に、「透明表示板３３」は「透光性のパネル」に、「表示ランプ３８、３９」は「光源」に、「図柄可変表示作動中や大当たり成立時に関する情報」は「遊技情報」に、「図柄ドラムＤ」は「図柄表示体」に、「図柄組合せ遊技機」は「スロットマシン」にそれぞれ相当している。
　そして、引用例１に記載された発明は、以下の点を実質的に具備しているということができる。
　　　　　　　　　　　　　　　　　　　　　　　　　　　　
１）実質的具備事項１
　外枠とこの外枠に片開き可能に取付けられた前枠とを備えて遊技機枠体を構成し、この遊技機枠体の前枠に遊技盤を装着して遊技機を構成することは、格別例示するまでもなく、スロットマシン等の遊技機において技術常識にすぎないので、引用例に記載された発明の遊技盤Ｐもまた、実質的に外枠とこの外枠に片開き可能に取付けられた前枠とこの前枠に遊技盤が装着されて構成されているということができる。
　そして、引用例に記載された発明の「遊技盤Ｐ」は「遊技盤」に相当していることは（３）対比の柱書きに示したとおりである。
　したがって、引用例に記載された発明の遊技盤もまた、実質的に外枠とこの外枠に片開き可能に取付けられた前枠とこの前枠に遊技盤が装着されて構成されているということができる。
　　　　　　　　　　　　　　　　　　　　　　　　　　　　　　　　　　
２）実質的具備事項２
　引用例の記載事項３の「【００３７】前記透視体３１では、図１０に示す如く、その中央部に開口された方形の窓口３２内の前側および後側に、透明な透視表示板３３およびレンズ体３６が重ね合わせ状態で組付けられている。そして透視表示板３３の前面において、左右両側に上下３コマ分と中央部に１コマ分の有効図柄用の表示窓面３４ａ,３４ｂが形成されている。・・・」なる記載並びに図１１、図１２に基づけば、透視体３１は、遊技盤面を覆う部分と、遊技盤面から後側に向かって延出している部分を有しており、かつ、方形の窓口３２はこの延出部分で区画されて形成されているのであるから、前記透視体３１の覆う部分を前壁、同延出部分を見切壁と言い換えることができる。
　そして、引用例に記載された発明の「透視体３１」「遊技盤Ｐ」は「透明性のパネル」「遊技盤」に相当していることは（３）対比の柱書きに示したとおりである。
　したがって、透明性のパネルは、遊技盤の前面を覆う前壁と後側に突出する見切壁を実質的に具備していると言うことができる。
　　　　　　　　　　　　　　　　　　　　　　　　　　　　　　　　　　
３）実質的具備事項３
　引用例の記載事項３の「【００３７】前記透視体３１では、図１０に示す如く、その中央部に開口された方形の窓口３２内の前側および後側に、透明な透視表示板３３およびレンズ体３６が重ね合わせ状態で組付けられている。そして透視表示板３３の前面において、左右両側に上下３コマ分と中央部に１コマ分の有効図柄用の表示窓面３４ａ,３４ｂが形成されている。・・・また透視表示板３３およびレンズ体３６は、図１１に示す如く、共に側面から見て前向きの凸円弧形に成形されて、互いに前後離隔状態で整合されている。」なる記載並びに図１１に基づけば、方形の窓口３２の開口を覆う透明表示板３３は透視体３１の窓口３２に対して遊技盤Ｐの反対側から透明表示板３３、レンズ体３６の順で組み付けられたものであることは明らかであるから、引用例に記載された発明の透明表示板３３は方形の窓口３２内において方形の窓口３２の後側開口を覆うように組み付けられていると言うことができる。
　そして、引用例に記載された発明の「透明表示板３３」「方形の窓口３２」は本願補正発明の「透光性のパネル」「窓」に相当していることは上記（３）対比の柱書きに示したとおりである。
　そうすると、引用例に記載された発明において、透光性のパネルは窓内においてこの窓口の後側開口を覆うように組み付けられていると実質的に言い換えることができる。
　　　　　　　　　　　　　　　　　　　　　　　　　　　　
２）実質的具備事項４
　引用例に記載された発明において、表示ランプ３８、３９で図柄可変表示作動中や大当たり成立時に関する情報を遊技者に報知している以上、このような機能や作用を奏する機構を実質的に有していると解される。
　また、引用例に記載された発明の「表示ランプ３８、３９」「図柄可変表示作動中や大当たり成立時に関する情報」は「光源」「遊技情報」に相当していることは上記（３）対比の柱書きに示したとおりである。
　そうすると、引用例に記載された発明の「表示ランプ３８、３９で図柄可変表示作動中や大当たり成立時に関する情報を遊技者に報知し」は、実質的に「光源で遊技情報を遊技者に報知する表示機構」と言い換えできることは明らかである。
　　　　　　　　　　　　　　　　　　　　　　　　　　
　以上の実質的具備事項１〜実質的具備事項４に基づけば、本願補正発明と引用例に記載された発明は、
　　　　　　　　　　　　　　　　　　　　　　　　　　　　
　「外枠とこの外枠に片開き可能に取付けられた前枠とを備えて構成される遊技機枠体と、
　遊技機枠体の前枠の前面を覆う前壁と前壁より後側に突出する見切壁を備えて構成される化粧体と、
　見切壁で周囲を囲まれて構成され、化粧体に前後方向に開放する形態で形成された窓と、
　窓の後側開口を覆い図柄視認領域を構成する透光性のパネルと、
　光源で遊技情報を遊技者に報知する表示機構と、
　透光性のパネルの裏側において透光性のパネルと非接触の状態で配置され図柄視認領域の前側より図柄視認領域を経由して図柄を見せる図柄表示体と　を備えたスロットマシン。」の点で一致し、以下の点で相違していると認められる。
　　　　　　　　　　　　　　　　　　　　　　　　　　　　　　　　　　
＜相違点＞　　
　本願補正発明は、図柄視認領域周囲において、透光性のパネルに延設部を形成し、光源を、透光性のパネルの図柄視認領域周囲に形成された延設部と化粧体の前壁と見切壁とで形成された化粧体の裏側の空間に化粧体の前壁に向けて化粧体の裏側に引抜くことにより延設部から取外せるように延設部の裏側より取付けているのに対して、引用例に記載された発明は、図柄視認領域周囲において、延設部を有せず、光源を、図柄視認領域周囲に形成された化粧体の裏側の空間に配置しているものの、光源を、化粧体の前壁に向けて化粧体の裏側に引抜くことにより取外せるように裏側より取付けているか否かが明瞭でない点。
　　　　　　　　　　　　　　　　　　　　　　　　　　　　　　　　　
（４）判断
　上記相違点について、検討する。
　引用例に記載された発明は、図柄視認領域の周囲において、化粧体の裏側の上縁部に前壁と見切壁から構成される空間を形成して、この空間に光源を配置していることは明らかであり、この光源のランプ等は常識的に取り外して交換することが普通であるから、光源は取り外し自在に装着されていると解される。
　ところで、スロットマシン技術分野の化粧体における図柄視認領域の周囲に設けられた裏側の空間において、光源を装着するための延設部を設け、その延設部に光源を後側より装着し、取り外し自在とすることは、特開平１−１０７７８５号公報、特開平１−１０４２８６号公報、特開昭６４−５２４９４号公報、特開平８−４７５６２号公報、および特開昭６４−８０３９０号公報等に示されているように周知技術に過ぎない上、化粧体に延設部を設ける場合と、透光性のパネルに延設部を設ける場合の両方においても、化粧体の裏側に設けられた図柄視認領域の周囲の空間に光源を後側から取り外し自在に装着している点で目的、作用効果に格別相違がないのであるから、本願補正発明のように、透光性のパネルに延設部を設け、光源をその延設部に後側から取り外し自在に装着するようにすることに格別の困難性を見出すことができない。
　そうすると、化粧体に延設部を設け、後側から着脱自在に光源を装着する上記周知技術を参酌しつつ、引用例に記載された発明の化粧体の裏側に設けられた図柄視認領域の周囲の空間に光源を配置するものに代えて、化粧体の裏側の図柄視認領域の周囲において透光性のパネルに延設部を設けて空間を形成し、その空間を形成する延設部に光源を後側から着脱自在に装着するようにすること、すなわち本願補正発明の上記相違点に係る構成となすことは、当業者が容易になし得る程度の設計的な技術事項に過ぎないということができる。
　　　　　　　　　　　　　　　　　　　　　　　　　　　　　　
（５）作用効果およびむすび
　よって、本願補正発明は、引用例に記載された発明および周知技術に基づいて、当業者が容易に発明することができたものであり、本願補正発明によって奏する効果も、引用例に記載された発明および周知技術に基づいて、普通に予測できる範囲内のものであって格別のものがあるとは認められないから、特許法第２９条第２項により特許を受けることができない。
　　　　　　　　　　　　　　　　　　　　　　　　　　
（６）補正却下の判断
　上記のとおり、本願補正発明は、平成１８年改正前特許法第１７条の２第５項で準用する同法第１２６条第５項の規定に違反するものであるので、平成１６年６月２５日付の手続補正は、特許法第１５９条第１項で準用する同法第５３条第１項の規定により却下されるべきものである。
　　　　　　　　　　　　　　　　　　　　　　　　　　
３．本願発明について
　平成１６年６月２５日付の手続補正は上記のとおり却下されているので、平成１６年１月２９日付の手続補正書における特許請求の範囲の請求項１に係る発明は、その請求項１において特定される以下のものである。
　　　　　　　　　　　　　　　　　　　　　　　　　　　　
　「
外枠と、この外枠に片開き可能に取り付けられた前枠とを備えて構成される
前記前枠の
この
　
この
で周囲を囲まれて構成される
が前記
に前後方向に開放する形態で
され
の後側開口が
で覆われ
前記
前記
にあって前記パネルの延設部に光源を取付け前記前壁の裏側から
　　　　　　　　　　　　　　　　
（１）引用例について
　引用例の記載およびそれら記載事項は、上記２．（２）引用例についてに記載したとおりである。
　　　　　　　　　　　　　　　　　　　　　　　　　　
（２）対比・判断
　本願発明は、上記２．（４）判断で検討した本願補正発明において、「この遊技機枠体の前記前枠の前面を覆う前壁とこの前壁より後側に突出する見切壁とを備えて構成される化粧体」を「遊技機枠体の前記前枠の前面を覆う化粧体が前壁とこの前壁より後側に突出する見切壁とを備え」と言い換えるとともに、「図柄視認領域を構成する透光性のパネル」の「図柄視認領域を構成する」なる構成要素を削除し、かつ、「このパネルの前記図柄視認領域周囲に形成された延設部と」なる構成要件を削除したものである。
　そうすると、本願発明の構成要件をすべて含み、さらに他の構成要素や構成要件を付加したものに相当する本願補正発明が、上記２．（４）判断〜（５）作用効果およびむすびに記載したとおり、引用例に記載された発明および周知技術に基づいて、当業者が容易に発明することができたものであるので、特許法第２９条第２項の規定により特許を受けることができないものである。
　したがって、本願発明も、同様の理由により、引用例に記載された発明および周知技術に基づいて、当業者が容易に発明をすることができたものである。
　　　　　　　　　　　　　　　　　　　　　　　
（３）むすび
　以上のとおり、本願発明は、引用例に記載された発明および周知技術に基づいて、当業者が容易に発明をすることができたものであるから、特許法第２９条第２項の規定により特許を受けることができない。　
　よって、結論のとおり審決する。